(57)【要約】【課題】ロール製品を保持するための梱包用バンドや梱包用バンド緊縛用装置が不要で、梱包用バンドの緊縛作業もなく簡単な操作でロール製品を保持または保持解除でき、さらに使用済み梱包用バンドの廃棄処分も不要で、より経済的なロール製品用保護枠を提供する。【解決手段】本発明のロール製品用保護枠１は、帯状製品を中空芯に巻回したロール製品を保護するためのロール製品用保護枠であって、表面２ａ側でロール製品の一端面側を保持する基盤部２と、基盤部２の表面２ａ側に立設されロール製品の中空芯内に挿入される中空芯内挿入部３とを有し、中空芯内挿入部３は、対向して配されロール製品を他端面側から保持するロール製品用保護枠の中空芯内挿入部と連結可能に構成されている。【選択図】図１
2010070233.tif 000002
【特許請求の範囲】
【請求項１】
帯状製品を中空芯に巻回したロール製品を保護するためのロール製品用保護枠であって、表面側で前記ロール製品の一端面側を保持する基盤部と、該基盤部の表面側に立設され前記ロール製品の中空芯内に挿入される中空芯内挿入部とを有し、該中空芯内挿入部は、対向して配され前記ロール製品を他端面側から保持するロール製品用保護枠の中空芯内挿入部と連結可能であることを特徴とするロール製品用保護枠。
【請求項２】
前記ロール製品を一端面側から保持するロール製品用保護枠の中空芯内挿入部と、前記ロール製品を他端面側から保持するロール製品用保護枠の中空芯内挿入部とは、一方を他方に対して相対的に回転させることで連結されるものである請求項１に記載のロール製品用保護枠。
【請求項３】
連結された前記一対のロール製品用保護枠は、連結された回転方向と逆方向に、一方を他方に対して相対的に回転させることで連結解除されるものである請求項２に記載のロール製品用保護枠。
【請求項４】
前記中空芯内挿入部は、先端側で略Ｌ字を形成する略Ｌ字型係合片を有している請求項３に記載のロール製品用保護枠。
【請求項５】
前記基盤部は、該基盤部の表面側に立設された脚部を有し、該脚部は一対の前記ロール製品用保護枠が連結されると、先端部同士が押圧し合い、連結状態を補強するように構成されている請求項１ないし４のいずれかに記載のロール製品用保護枠。
【請求項６】
前記ロール製品を一端面側から保持するロール製品用保護枠と、前記ロール製品を他端面側から保持するロール製品用保護枠とは、同一形態である請求項１ないし５のいずれかに記載のロール製品用保護枠。
【発明の詳細な説明】
【技術分野】
【０００１】
本発明は、帯状製品を中空芯に巻回したロール製品を輸送・保管するためのロール製品用保護枠に関するものである。
【背景技術】
【０００２】
従来より、樹脂製、金属製または紙製のフィルムやシート等の帯状製品を中空芯に巻回したロール製品を輸送・保管する場合、例えば、図８ないし図１０に示すようなロール製品用保護枠５０が用いられている。
このロール製品用保護枠５０は、基盤部５１と、基盤部５１の中央付近に突設された円筒部５２と、四方に設けられた脚部５３とからなり、図１０に示すように、ロール製品用保護枠５０Ａ，５０Ｂをロール製品６０の両側に対向して配し、ロール製品６０の中空芯６１内に円筒部５２を挿通させて両側から挟持して使用するものである。そして、ロール製品用保護枠５０の基盤部５１の四方側面端縁部には、図８に示すように、梱包用バンド溝５４がそれぞれ設けられており、これら梱包用バンド溝５４に梱包用バンド７０を十字状に掛け渡して全体を緊縛するように構成されている。
【０００３】
しかし、この梱包用バンド７０にて全体を緊縛する作業は煩雑であり人件費の高騰にも繋がっていた。また、ロール製品６０の保持状態を維持するためには梱包用バンド７０が必要となると共に大量に梱包する場合には梱包用バンド緊縛用装置を用いることもありコスト高の要因となっていた。さらに、使用済みの切断された梱包用バンドの廃棄処分も必要となり、経済的観点や省資源化の観点からも好ましくなかった。
【特許文献１】実用新案登録第２６０４９０７号公報
【発明の開示】
【発明が解決しようとする課題】
【０００４】
そこで、本願発明者は、ロール製品用保護枠のみでロール製品を保持可能とする点に着眼し本発明を想起したものであり、すなわち、本発明の課題は、ロール製品を保持するための梱包用バンドや梱包用バンド緊縛用装置が不要で、梱包用バンドの緊縛作業もなく簡単な操作でロール製品を保持または保持解除でき、さらに使用済み梱包用バンドの廃棄処分も不要で、より経済的なロール製品用保護枠を提供することにある。
【課題を解決するための手段】
【０００５】
上記課題を解決するものは、帯状製品を中空芯に巻回したロール製品を保護するためのロール製品用保護枠であって、表面側で前記ロール製品の一端面側を保持する基盤部と、該基盤部の表面側に立設され前記ロール製品の中空芯内に挿入される中空芯内挿入部とを有し、該中空芯内挿入部は、対向して配され前記ロール製品を他端面側から保持するロール製品用保護枠の中空芯内挿入部と連結可能であることを特徴とするロール製品用保護枠である。
【０００６】
前記ロール製品を一端面側から保持するロール製品用保護枠の中空芯内挿入部と、前記ロール製品を他端面側から保持するロール製品用保護枠の中空芯内挿入部は、一方を他方に対して相対的に回転させることで連結されるものであることが好ましい。また、連結された前記一対のロール製品用保護枠は、連結された回転方向と逆方向に、一方を他方に対して相対的に回転させることで連結解除されるものであることが好ましい。前記中空芯内挿入部は、先端側で略Ｌ字を形成する略Ｌ字型係合片を有していることが好ましい。前記基盤部は、該基盤部の表面側に立設された脚部を有し、該脚部は一対の前記ロール製品用保護枠が連結されると、先端部同士が押圧し合い、連結状態を補強するように構成されていることが好ましい。前記ロール製品を一端面側から保持するロール製品用保護枠と、前記ロール製品を他端面側から保持するロール製品用保護枠とは、同一形態であることが好ましい。
【発明の効果】
【０００７】
請求項１に記載の発明によれば、対向して配されたロール製品用保護枠の中空芯内挿入部を連結することにより、ロール製品を両側から挟持して保持するため、ロール製品を保持するための梱包用バンドや梱包用バンド緊縛用装置が不要で、梱包用バンドの緊縛作業もなく簡単な操作でロール製品を保持でき、さらに使用済み梱包用バンドの廃棄処分も不要で、より経済的なロール製品用保護枠となる。
請求項２に記載の発明によれば、上記請求項１の効果に加え、より容易かつ強固に中空芯内挿入部同士を連結できる。
請求項３に記載の発明によれば、上記請求項２の効果に加え、より容易に中空芯内挿入部同士の連結を解除できる。
請求項４に記載の発明によれば、上記請求項３の効果に加え、より簡素な構造で中空芯内挿入部同士を連結または連結解除できる。
請求項５に記載の発明によれば、上記請求項１ないし４の効果に加え、脚部が支点となって中空芯内挿入部同士をより安定した状態で連結できる。
請求項６に記載の発明によれば、一種類のロール製品用保護枠でロール製品を保護できる。
【発明を実施するための最良の形態】
【０００８】
本発明は、表面側でロール製品の一端面側を保持する基盤部と、基盤部の表面側に立設されロール製品の中空芯内に挿入される中空芯内挿入部とを有し、中空芯内挿入部は、対向して配されロール製品を他端面側から保持するロール製品用保護枠の中空芯内挿入部と連結可能に構成されているため、ロール製品を保持するための梱包用バンドや梱包用バンド緊縛用装置が不要で、梱包用バンドの緊縛作業もなく簡単な操作でロール製品を保持または保持解除でき、さらに使用済み梱包用バンドの廃棄処分も不要で、より経済的なロール製品用保護枠を実現した。
【実施例１】
【０００９】
図１は本発明のロール製品用保護枠の一実施例の斜視図であり、図２は図１に示したロール製品用保護枠の正面図であり、図３は図１に示したロール製品用保護枠の平面図であり、図４は図１に示したロール製品用保護枠の底面図であり、図５ないし図７は図１に示したロール製品用保護枠の使用方法を説明するための斜視図である。
【００１０】
この実施例のロール製品用保護枠１は、図１に示すように、帯状製品を中空芯に巻回したロール製品を保護するためのロール製品用保護枠であって、表面２ａ側でロール製品の一端面側を保持する基盤部２と、基盤部２の表面２ａ側に立設されロール製品の中空芯内に挿入される中空芯内挿入部３とを有し、中空芯内挿入部３は、対向して配されロール製品を他端面側から保持するロール製品用保護枠の中空芯内挿入部と連結可能に構成されている。以下、各構成について順次詳述する。
【００１１】
この実施例のロール製品用保護枠１は、一対のロール製品用保護枠１をロール製品の両側に対向して配し、ロール製品の中空芯内に中空芯内挿入部３を挿通させて両側から挟持するようにして使用するものである。
【００１２】
基盤部２は、表面２ａ側でロール製品の一端面側を保持するものであり、この実施例では、図３に示すように平面視略矩形に形成されている。基盤部２の裏面側には、図４に示すように補強用リブ４が蜘蛛の巣状に形成されている。
【００１３】
基盤部２の表面２ａ側には、図１または図２に示すように、ロール製品の中空芯内に挿入される中空芯内挿入部３が立設されている。そして、中空芯内挿入部３は、対向して配されロール製品を他端面側から保持するロール製品用保護枠１の中空芯内挿入部３と連結可能に構成されている。
【００１４】
具体的には、図５ないし図７に示すように、この実施例のロール製品用保護枠１は、ロール製品を一端面側から保持するロール製品用保護枠１Ａの中空芯内挿入部３Ａと、ロール製品を他端面側から保持するロール製品用保護枠１Ｂの中空芯内挿入部３Ｂとにおいて、一方を他方に対して相対的に回転させることで連結されるように構成されている。これによって、より容易かつ強固に中空芯内挿入部同士を連結することができる。
【００１５】
この連結方法（換言すればロール製品の保持方法）を説明すると、まず、ロール製品用保護枠１Ａの中空芯内挿入部３Ａをロール製品（連結状態を示すために図５ないし図７において省略）の中空芯内に挿入する。この状態で、図５に示すように、ロール製品を他端面側から保持するロール製品用保護枠１Ｂを、ロール製品用保護枠１Ａの上方で、かつ、中空芯内挿入部３Ａと中空芯内挿入部３Ｂとが連結可能な対向位置に配する。つぎに、ロール製品用保護枠１Ｂの中空芯内挿入部３Ｂを、ロール製品用保護枠１Ａの中空芯内挿入部３Ａに差し込む（図６）。さらに、ロール製品用保護枠１Ｂを時計回りに回転させると、ロール製品用保護枠１Ａの中空芯内挿入部３Ａと、ロール製品用保護枠１Ｂの中空芯内挿入部３Ｂとが連結する（図７）。そして、ロール製品がロール製品用保護枠１Ａとロール製品用保護枠１Ｂとの間で挟持され保持される。
【００１６】
他方、連結状態を解除して、ロール製品をロール製品用保護枠１Ａ，１Ｂから取り出す場合は、連結された回転方向と逆方向（反時計回り）に、一方を他方に対して相対的に回転させることで連結解除される。
【００１７】
具体的には、図７の連結状態からロール製品用保護枠１Ｂを反時計回りに回転させて図６の状態とする。さらに、ロール製品用保護枠１Ｂを上方に持ち上げて、ロール製品をロール製品用保護枠１Ａの中空芯内挿入部３Ａからロール製品用保護枠１Ｂの中空芯内挿入部３Ｂを引き抜いて両者を分離させる。そして、ロール製品用保護枠１Ａの中空芯内挿入部３Ａからロール製品を取り出す。このように、この実施例のロール製品用保護枠１は、連結された回転方向と逆方向に、一方を他方に対して相対的に回転させることで、より容易に中空芯内挿入部同士の連結を解除できる。
【００１８】
なお、この実施例のロール製品用保護枠１の中空芯内挿入部３は、図１または図２に示すように、先端側で略Ｌ字を形成する略Ｌ字型係合片３ａを四方に有している。具体的には、中空芯内挿入部３は、図２または図３に示すように、円筒部３ｂと、円筒部３ｂの外側に設けられた略Ｌ字型係合片３ａとを有しており、ロール製品用保護枠１Ａ，１Ｂは、図７に示すように、この略Ｌ字型係合片３ａの周方向延出部３ｃの下面同士で係合して連結されるように構成されている。このような略Ｌ字型係合片３ａを中空芯内挿入部３に設けることにより、より簡素な構造で中空芯内挿入部同士を連結または連結解除できる。
【００１９】
そして、このような回転式連結および回転式連結解除によるロール製品用保護枠とすることで、ロール製品を一端面側から保持するロール製品用保護枠と、ロール製品を他端面側から保持するロール製品用保護枠とを、同一形態で形成することができ、一種類のロール製品用保護枠でロール製品を保護できる。
【００２０】
基盤部２の表面２ａ側四方には脚部５がそれぞれ立設されている。これら脚部５は、図７に示すように、一対のロール製品用保護枠１Ａ，１Ｂが中空芯内挿入部３Ａ，３Ｂにて連結されると、先端部５ａ同士が押圧し合い、連結状態を四方から補強するように構成されている。
【００２１】
具体的には、脚部５は、立設方向の長さが、ロール製品用保護枠１Ａ，１Ｂが連結されると、先端部５ａ同士が当接して若干押圧し合う長さに形成されている。また、脚部５の先端部５ａの両側には、図３または図５に示すように、両側に向かって下降する傾斜面５ｂが形成されている。これらは、ロール製品用保護枠１Ａ，１Ｂが連結される際に、他方の先端部５ａが一方の傾斜面５ｂを摺り上がって先端部５ａ同士を当接し易くするためのものである。
【００２２】
さらに、脚部５は、図３または図５に示すように、基盤部２の四方において、４隅を斜め方向に切り欠く形態に形成されており、かつ内部が空洞に形成され、さらに、四方外側に向かう開口部５ｃを有している。このような構造により、通常、ロール製品用保護枠１Ａ，１Ｂにて保護されたロール製品は、図７の状態を９０度起こした状態で略同寸のダンボール箱などに梱包されるが、ダンボール箱から取り出す際に、開口部５ｃに指を挿入して引っ掛け、連結されたロール製品用保護枠１Ａ，１Ｂを容易に取り出すことができる。
【００２３】
本発明のロール製品用保護枠は、これら基盤部２、中空芯内挿入部３、補強用リブ４および脚部５が樹脂材料にて一体成形されているが、この実施例のロール製品用保護枠１はポリプロピレンにて形成されている。
【００２４】
以上のように、本発明のロール製品用保護枠は、対向して配されたロール製品用保護枠の中空芯内挿入部を連結することにより、ロール製品を両側から挟持して保持するため、ロール製品を保持するための梱包用バンドや梱包用バンド緊縛用装置が不要で、梱包用バンドの緊縛作業もなく簡単な操作でロール製品を保持でき、さらに使用済み梱包用バンドの廃棄処分も不要で、より経済的なロール製品用保護枠となる。
【００２５】
なお、この実施例のロール製品用保護枠１は、略Ｌ字型係合片３ａ同士の回転式連結および逆回転による回転式連結解除方式にて、対向するロール製品用保護枠１の中空芯内挿入部３同士を連結および連結解除するものであるが、これに限定されるものではなく、対向するロール製品用保護枠の中空芯内挿入部同士を連結および連結解除できる構造のものは広く本発明の範疇に包含されるものであり、例えば、対向するロール製品用保護枠の中空芯内挿入部同士を雄雌型の係合にて連結するもの、ロール製品用保護枠の中空芯内挿入部同士を螺合構造で連結するものなども本発明の範疇に包含される。
【図面の簡単な説明】
【００２６】
【図１】本発明のロール製品用保護枠の一実施例の斜視図である。
【図２】図１に示したロール製品用保護枠の正面図である。
【図３】図１に示したロール製品用保護枠の平面図である。
【図４】図１に示したロール製品用保護枠の底面図である。
【図５】図１に示したロール製品用保護枠の使用方法を説明するための斜視図である。
【図６】図１に示したロール製品用保護枠の使用方法を説明するための斜視図である。
【図７】図１に示したロール製品用保護枠の使用方法を説明するための斜視図である。
【図８】従来のロール製品用保護枠の平面図である。
【図９】図８に示したロール製品用保護枠のＡ−Ａ線断面図である。
【図１０】図８に示したロール製品用保護枠の使用状態を説明するための一部断面図である。
【符号の説明】
【００２７】
１    ロール製品用保護枠
２    基盤部
２ａ  基盤部の表面
２ｂ  基盤部の裏面
３    中空芯内挿入部
３ａ  略Ｌ字型係合片
３ｂ  円筒部
３ｃ  周方向延出部
４    補強用リブ
５    脚部
５ａ  先端部
５ｂ  傾斜面
５ｃ  開口部
【図１】
2010070233.tif 000003
【図２】
2010070233.tif 000004
【図３】
2010070233.tif 000005
【図４】
2010070233.tif 000006
【図５】
2010070233.tif 000007
【図６】
2010070233.tif 000008
【図７】
2010070233.tif 000009
【図８】
2010070233.tif 000010
【図９】
2010070233.tif 000011
【図１０】
2010070233.tif 000012